(57)【特許請求の範囲】
【請求項１】
左右の望遠光学系の夫々所定のレンズを移動させて変倍を行う変倍式双眼鏡において、
所定形状のカムの形成された円筒状のカム環と、前記レンズを保持するレンズ枠を光軸方向に移動可能にガイドするガイド溝が形成された円筒状のガイド環とを備え、
前記レンズ枠に前記ガイド溝に係合するガイド条を設け、前記ガイド条上に前記カムに係合するカムフォロワを設け、前記カム環および前記ガイド環を相対回動することによって前記レンズ枠を光軸方向に移動させること、を特徴とする変倍式双眼鏡の変倍機構。
【請求項２】
前記ガイド環は前記双眼鏡の後鏡筒に固定され、前記カム環が回動駆動されること、を特徴とする請求項１に記載の変倍式双眼鏡の変倍機構。
【請求項３】
前記ガイド環の内周面に前記ガイド溝が形成されており、さらに前記ガイド環には前記変倍レンズの光軸方向に延びる前記カムフォロワが貫通する長孔が形成され、前記カムフォロワは前記長孔を貫通して前記カム環に形成されたカムに係合していること、を特徴とする請求項２に記載の変倍式双眼鏡の変倍機構。
【請求項４】
前記カムフォロワは、前記長孔の側面に当接しないことを特徴とする、請求項３に記載の変倍式双眼鏡の変倍機構。
【請求項５】
前記長孔が前記ガイド溝の中に形成されていること、を特徴とする請求項４に記載の変倍式双眼鏡の変倍機構。
【発明の詳細な説明】
【０００１】
【発明の属する技術分野】
本発明は、変倍式双眼鏡の変倍機構に関する。
【０００２】
【従来の技術】
従来より、左右の望遠光学系の夫々所定のレンズを移動させて変倍機構を備えた変倍式双眼鏡が知られている。このような変倍式双眼鏡では、レンズを保持するレンズ枠にはカムフォロアが植設され、当該カムフォロアが、レンズを駆動するためのカム溝と、レンズを移動案内するためのガイド溝と、の両方に係合していいる。
【０００３】
【発明が解決しようとする課題】
しかしながら、レンズ枠そのものの強度には限界がある上、カムフォロアがレンズ枠に直接植設されているため、カム環の回転駆動力がレンズ枠に集中し易く、レンズ枠の破損に繋がるという問題点があった。
【０００４】
本発明は、上記の如き事情に鑑み、レンズ枠の破損を防止することができる変倍式双眼鏡の変倍機構を提供することを目的とする。
【０００５】
【課題を解決するための手段】
上記の課題を解決するために、本発明の変倍式双眼鏡の変倍機構は、所定形状のカムの形成された円筒状のカム環と、レンズを保持するレンズ枠を光軸方向に移動可能にガイドするガイド溝が形成された円筒状のガイド環とを備え、レンズ枠にカムに係合するカムフォロワとガイド溝に係合するガイド条とを設け、カム環およびガイド環を相対回動することによってレンズ枠を光軸方向に移動させるよう構成されたものである。
【０００６】
また、ガイド環は双眼鏡の本体に固定され、カム環が回動駆動される構成も可能である。さらに、ガイド環の内周面にガイド溝が形成されており、ガイド環には変倍レンズの光軸方向に延びるカムフォロワが貫通する長孔が形成され、カムフォロワは長孔を貫通してカム環に形成されたカムに係合するよう構成しても良い。また、カムフォロアは、長孔の側面に当接しない構成も可能である。さらに、長孔をガイド溝の中に形成しても良い。
【０００７】
【実施の形態】
以下、本発明の実施の形態を図面に基づいて説明する。
図１は、本実施形態の変倍式双眼鏡の斜視図である。図１に示すように、双眼鏡１０には、左右１対の望遠光学系１０Ｌ、１０Ｒと、前フレーム２０が設けられている。また、双眼鏡１０の上部には、焦点調整つまみ１８３，視度差調整つまみ１８４及び変倍操作つまみ５０が並んで配置されている。なお、以下の説明では被写体側を「前方」、観察者側を「後方」と呼ぶ。
【０００８】
図２は、図１の双眼鏡１０の分解斜視図である。
図２に示すように、望遠光学系１０Ｌ（１０Ｒ）は、前鏡筒１３（１４）、中間鏡筒１５（１６）、及び後鏡筒３１（３２）を有している。前鏡筒１３（１４）は、前フレーム２０に設けられた左右一対のボア２０１（２０２）に嵌合することにより、回転可能に支持される。前鏡筒１３（１４）の後方には中間鏡筒１５（１６）が固定され、中間鏡筒１５（１６）の後方には後鏡筒３１（３２）が固定される。
【０００９】
後鏡筒３１（３２）は、前鏡筒１３（１４）に対して、中心軸が所定量偏心するよう配置されている。また、前鏡筒１３（１４）の回転に伴って後鏡筒３１（３２）が揺動しうるよう、後鏡筒３１（３２）は後フレーム２５によって支持されている。
【００１０】
図３は、双眼鏡１０の内部構成を示す平面図である。図３に示すように、前鏡筒１３（１４）は、第１レンズ１３２（１４２）を収容している。第１レンズ１３２（１４２）は、第１レンズ枠１３１（１４１）に保持されており、この第１レンズ枠１３１（１４１）は前鏡筒１３（１４）内で移動可能に支持されている。
【００１１】
中間鏡筒１５（１６）には、２つのプリズム１５１，１５２（１６１，１６２）が設けられている。両プリズム１５１，１５２（１６１、１６２）、互いの稜線が直角になるよう配置され、所謂ポロプリズム正立系となっている。これにより、第１レンズ１３２（１４２）を透過して倒立となった像は反転して正立となる。
【００１２】
後鏡筒３１（３２）は、第２レンズ１１２（１２２）と第３レンズ１１３（１２３）を収容している。第２レンズ１１２（１２２）と第３レンズ１１３（１２３）は、夫々第２，第３レンズ枠８１，９１（８２，９２）に保持されている。この第２，第３レンズ枠８１，９１（８２，９２）は、後鏡筒３１（３２）により移動可能に設けられている。
【００１３】
第１レンズ１３２（１４２）と第２レンズ１１２（１２２）は対物光学系を構成し、第３レンズ１１３（１２３）と第４レンズ１１４（１２４）は接眼光学系を構成している。また、上記対物光学系により像が形成される位置には、視野を規定するための視野環１７ｂ（１８ｂ）が設けられている。
【００１４】
なお、以下の説明において、単に「光軸方向」と言った場合、第１レンズ１３２（１４２）の光軸、及び第２レンズ１１２（１２２）から第４レンズ１１４（１２４）の光軸に平行な方向を指すものとする。
【００１５】
本実施形態の双眼鏡１０は、対物光学系の一部である第２レンズ１１２（１２２）と、接眼光学系の一部である第３レンズ１１３（１２３）を、夫々光軸方向に移動させることによって、変倍を行うよう構成されている。
【００１６】
図４は、第２及び第３レンズ１１２，１１３の移動範囲を示す、双眼鏡１０の側断面図である。図４において、第２及び第３レンズ１１２，１１３の光軸の上側には望遠状態における両レンズ１１２，１１３の位置を示し、当該光軸の下側には広角状態における位置を示す。
【００１７】
図２において、前フレーム２０と前鏡筒１３，１４及び中間鏡筒１５，１６は前ユニット２００を形成し、後フレーム２５と後鏡筒３１，３２は後ユニット１００を形成している。この前ユニット２００に後ユニット１００を組み付けることによって双眼鏡１０が組み立てられる。
【００１８】
前鏡筒１３（１４）の外周には、ショルダー部１３３（１４３）が形成され、当該ショルダー部１３３（１４３）はボア２０１（２０２）の内縁部に当接する。これにより、前鏡筒１３（１４）の前フレーム２５に対する軸方向の位置決めが行われる。
後鏡筒３１（３２）は、中間鏡筒１５（１６）の後端面１５ａ（１６ａ）に当接する端面３１ａ（３２ａ）を有し、この当接によって、中間鏡筒１５（１６）に対する後鏡筒３１（３２）の軸方向の位置決めが成される。
【００１９】
後フレーム３１（３２）の上記の端面３１ａ（３２ａ）には、位置決めピン３１ｂ（３２ｂ）が形成され、この位置決めピン３１ｂ（３２ｂ）が、中間鏡筒１５（１６）の後端面１５ａ（１６ａ）に形成された孔１５ｂ（１６ｂ）に嵌挿される。かくして、中間鏡筒１５（１６）に対する後フレーム３１（３２）の上記軸方向に直交する面内の位置決めが成される。
【００２０】
さらに、後フレーム３１，３２には、前フレーム２０に向けて延びるガイドバー３１１，３１２が突出形成されている。前フレーム２００の後端には、ガイドバー３１１，３１２が係合する孔１５３，１６３が形成され、後フレーム１００を前フレーム２００に組み付ける際の案内となる。
【００２１】
また、中間鏡筒１５，１６の互いに対向する外周上には、中間鏡筒１５，１６（及びその後方に取り付けられる後鏡筒３１，３２）を連動して揺動させるための、互いに係合するセクタギア１５４，１６４が形成されている。
【００２２】
図５は、後ユニット１００の分解斜視図である。後鏡筒３１，３２の後端面には、中間鏡筒１５，１６の揺動中心、即ち第１レンズ１３，１４の光軸に対応する位置に、揺動軸３２１，３２２（図中点線で示す）が後方に向けて突出形成されている。
【００２３】
後フレーム２５には、後鏡筒３１，３２の揺動軸３２１，３２２を夫々貫通させるための貫通孔２５１，２５２が形成されている。また、揺動軸３２１，３２２の先端にはねじ孔３２１ａ，３２２ａが形成されている。
そして、後フレーム２５の貫通孔２５１，２５２に揺動軸３２１，３２２を貫通させ、揺動軸３２１，３２２のねじ孔３２１ａ，３２２ａにビス３２１ｂ，３２２ｂを固定することによって、後鏡筒３１，３２は後フレーム２５に揺動可能に支持される。
【００２４】
かくして、中間鏡筒１５，１６を取り付けた左右の前鏡筒１３，１４を前フレーム２０に挿入することにより前ユニット２００が一体として組み立てられる。また、左右の後鏡筒３１，３２の揺動軸３２１，３２２を後フレーム２５の孔２５１、２５２に嵌挿して固定することにより後ユニット１００が一体として組み立てられる。つまり、前ユニット２００と後ユニット１００は、夫々予め組み立てて保管しておくことができ、組み立て時には、前ユニット２００に後ユニット１００を組み付けることによって双眼鏡１０となる。
【００２５】
ここで、図２に示すように、左右の望遠光学系１０Ｌ，１０Ｒの各レンズの中で、第１レンズ１３２，１４２だけが前ユニット２００に属し、第２レンズ１１２，１２２、第３レンズ１１３，１２３及び第４レンズ１１４，１２４（いずれも図３）は後ユニット１００に属する。そこで、本実施形態では、前鏡筒１３，１４の光軸方向の位置にずれがあった場合でも、前ユニット２００に後ユニット１００を組み付けると、前ユニット２００に属する第１レンズ１３２，１４２と、後ユニット１００に属する第２レンズ１１２，１２２（図３）との距離が左右で同じになるよう構成されている。
【００２６】
つまり、図５において、後鏡筒３１，３２が後フレーム２５に対して光軸方向に所定量の余裕を残した状態で保持されるよう、揺動軸３２１，３２２の長さが設定されている。従って、図２に示すように前ユニット２００に後ユニット１００を組み付けると、後鏡筒３１，３２の光軸方向の位置は夫々中間鏡筒１５，１６の光軸方向の位置にならう。かくして、第１レンズ１３２，１４２と、第２レンズ１１２，１２２（図３）との距離が左右で同じになる。
【００２７】
次に、後鏡筒３１，３２には、第２レンズ１１２，１２２と第３レンズ１１３，１２３（図３）を光軸方向に移動駆動するための機構について説明する。
図５に示すように、後鏡筒３１，３２には、第２レンズ１１２，１２２と第３レンズ１１３，１２３（図３）を光軸方向に移動駆動するためのカム環６１，６２、及び第２レンズ１１２，１２２と第３レンズ１１３，１２３を光軸方向に移動可能に保持するためのガイド環７１，７２が挿入されている。
【００２８】
図６は、左側のカム環６１の斜視図である。図６に示すように、カム環６１は、筒部６１２と、筒部６１２の一端面に形成された弧状壁６１７と、弧状壁６１７の軸方向端面から延出する延出壁６１１と、からよりなっている。
弧状壁６１７と延出壁６１１は、円筒部６１２の外周面に沿った弧を形成している。また、延出壁６１１の（弧の中心からの）外径は、弧状壁６１７よりも所定量小さく、弧状壁６１２の端面にショルダー面６１７ａが形成される。
【００２９】
円筒部６１２における、端面６１８から軸方向に所定長さの部分は、後述のベルト部材を巻き付けるための巻付部６１９となっている。巻付部６１９の外径は、円筒部６１２の他の部分よりも僅かに小さく設定されている。これにより、巻付部６１９の外面と後鏡筒３１の内面との間に、図３に示すクリアランスＣが形成される。
【００３０】
また、後述のベルト部材を係止するため、巻付部６１９には平行な２本のスリット６１５，６１６が形成されている。スリット６１５，６１６はさらに弧状壁６１７のショルダー面６１７ａまで延びている。
【００３１】
延出壁６１１には、第２レンズ１１２を移動するための第１カム溝６１３が形成されている。また、円筒部６１２には、第３レンズ１２２を移動するための２本の第２カム溝６１４，６１４が形成されている。
【００３２】
図７（Ａ），（Ｂ）は、左側のガイド環７１を示す斜視図及び側断面図である。ガイド環７１は、円筒部７１２と、円筒部７１２の端面から延びる弧状壁７１１と、円筒部７１２のもう一方の端面に形成されたフランジ部７１５と、を有して構成されている。フランジ部７１５には、ガイド環７１の位置を微調整（後述）するための一対の外周ギア７１６が形成されている。
【００３３】
弧状壁７１１の内面には、軸方向に延びるガイド溝７１７が、周方向に９０゜間隔で３本形成される。３本のうち中央のガイド溝７１７には、当該溝に沿って延びる長孔７１３が形成されている。また、筒部７１２の内面には、軸方向に延びるガイド溝７１８が周方向に９０゜間隔で４本形成され、４本のうち対向する２本のガイド溝７１８には、当該溝に沿って延びる長孔７１４が形成されている。
【００３４】
図８は、左右のカム環６１，６２、ガイド環７１，７２、第２レンズ枠８１，８２及び第３レンズ枠９１，９２を示す分解斜視図である。図８に示すように、ガイド環７１，７２は左右対称に構成されており、カム環６１，６２は左右同様に構成されている。
【００３５】
図８に示すように、第２レンズ枠８１（８２）の外周上には、軸方向に延びるスライダ８１１（８２１）が周方向に９０゜間隔で４本形成されている。当該スライダ８１１（８１２）には、夫々ねじ穴８１２（８２２）が形成されており、カムフォロア８１３（８２３）がねじ込み可能となっている。同様に、第３レンズ枠９１（９２）の外周上には、軸方向に延びるスライダ９１１（９２１）が周方向に９０゜間隔で４本形成されている。当該スライダ９１１（９２１）には、夫々ねじ穴９１２（９２２）が形成されており、カムフォロア９１３（９２３）がねじ込み可能となっている。
【００３６】
第２レンズ枠８１のスライダ８１１をガイド環７１のガイド溝７１７（図７）に係合させることにより、第２レンズ枠８１はガイド環７１に光軸方向に摺動可能に保持される。同様に、第３レンズ枠９１のスライダ９１１をガイド環７１のガイド溝７１８（図７）に係合させることにより、第３レンズ枠９１はガイド環７１に光軸方向に摺動可能に保持される。
【００３７】
第２レンズ枠８１の４本のスライダ８１１のうち、１本だけが長孔７１３（図７）の形成されたガイド溝７１７（図７）に係合する。この１本のスライダ８１１のねじ穴８１２にはカムフォロア８１３が固定され、当該カムフォロア８１３が長孔７１３（図７）を貫通して、カム環６１のカム溝６１３に係合する。
【００３８】
同様に、４本のスライダ９１１のうち長孔７１４の形成されたガイド溝７１８（図７）に係合したスライダ９１１のねじ穴９１２にはカムフォロア９１３が固定され、当該カムフォロア９１３が長孔７１４を貫通して、カム環６１のカム溝６１４に係合する。
【００３９】
このように構成されているため、カム環６１が回動すると、第２レンズ枠８１のカムフォロア８１３と第３レンズ枠９１のカムフォロア９１３が、カム環６１のカム溝６１３，６１４に沿って摺動すると共に、第２レンズ枠８１のスライダ８１１と第３レンズ枠９１のスライダ９１１がガイド環７１のガイド溝７１７，７１８に沿って摺動する。即ち、左側の第２，第３レンズ枠８１，９１は、カム環６１の回転によって、ガイド環７１内を軸方向に移動する。同様に、右側の第２，第３レンズ枠８２，９２は、カム環６２の回転によって、ガイド環７２内を軸方向に移動する。
【００４０】
ここで、カムフォロア８１３，９１３の径は、長孔７１３（図７），７１４の幅より所定量小さく設定されている。従って、ガイド溝７１７（図７），７１８とスライダ８１１，９１１が夫々係合した状態で、カムフォロア８１３，９１３が、長孔７１３，７１４の側面には接触しない。つまり、第２，第３レンズ枠は、カム溝と接する部位と、ガイド溝に接する部位とを別々に備えている。また、スライダ８１１，９１１は、レンズ枠８１，９１自体の補強部材ともなるため、カム環６１の回動に過度の力が加わった場合等の、レンズ枠８１，９１の破損が防止される。
【００４１】
なお、本実施形態では、ガイド環７１，７２を固定し、カム環６１，６２を回動するよう構成されているが、カム環６１，６２を固定してガイド環を回動させることも可能である。
【００４２】
ここで、スライダ８１１，９１１及びガイド溝７１７，７１８（図７）は、等間隔で形成されているため、左側の第２，第３レンズ枠８１，９１のガイド環７１に対する（周方向の）取付角度は、周方向に９０゜間隔で変えられる。同様に、右側の第２，第３レンズ枠８２，９２のガイド環７２に対する（周方向の）取付角度は、周方向に９０゜間隔で変えられる。
【００４３】
従って、双眼鏡１０の組立後、レンズの組み付け誤差等の原因によって、視野の範囲（視野枠により制限される範囲）が左右で異なる、所謂視野食い違い現象が発生した場合には、左右の第２レンズ枠８１，８２、あるいは第３レンズ枠９１，９２のガイド環７１、７２への取り付けの方向を変えることによって、左右の視野を補正することが可能となる。
【００４４】
次に、左右のカム環６１，６２を連動して回転駆動するための構成について説明する。
図９は、後ユニット１００を示す斜視図である。なお、後鏡筒３１，３２は点線で示す。図９（Ａ）に示すように、後ユニット１００には、左右のカム環６１，６２を連動させるため、ベルト部材４０（連動部材）が設けられている。このベルト部材４０は、カム環６１，６２に形成された巻付部６１９（図６），６２９に沿って巻き付けられる。また、後フレーム２５には、ベルト部材４０を駆動操作するための変倍操作つまみ５０が設けられている。
【００４５】
ベルト部材４０の形状を図１０に示す。図１０（Ａ）に示すように、ベルト部材４０の両端の所定長さの部分４０ａは、曲率半径Ｒ１を持つよう構成されている。この曲率半径Ｒ１は、カム環６１，６２の巻付部６１９，６２９の外径と同じく設定されている。ベルト部材４０は、カム環６１，６２に巻き付けられるに充分な柔軟性を有すると共に、長さ方向の「押し」と「引っ張り」による荷重を伝達できるだけの靱性を持つ金属板等が用いられる。本実施形態では、ニッケル−クロム−モリブデン合金の一種である、三菱マテリアル株式会社製ハステロイＣ−２２を使用する。
【００４６】
ベルト部材４０の両端は、上記の曲率半径Ｒ１の仮想中心に向けて屈曲され、係止端４１を形成している。また、係止端４１から所定間隔を置いて、略四角形の部分を一辺を残して切断し、前記の一辺で折り曲げて作られた係止爪４２が設けられている。係止端４１と係止爪４２の間隔については後述する。
また、ベルト部材４０の長さ方向中央部には、ベルト部材４０を駆動操作するための連結部４３が形成されている。
【００４７】
図１１は、ベルト部材４０と後鏡筒３１、３２を前方から見た正面図である。なお、ガイド環７１，７２及び各レンズ枠は省略する。図１１に示すように、ベルト部材４０の一方の係止端４１ａと係止爪４２ａは、左側のカム環６１に形成されたスリット６１５，６１６に係合し、他方の係止端４１ｂと係止爪４２ｂは、右側のカム環６２に形成されたスリット６２５，６２６に係合している。
【００４８】
カム環６１，６２の巻付部６１９，６２９と後鏡筒３１，３２の内面との間には、ベルト部材４０を通すための上記のクリアランスＣ（図３）が設けられている。また、後鏡筒３１，３２には、巻付部６１９，６２９との間でベルト部材４０をガイドするそれぞれ４つずつのローラからなる押えローラ群３１３，３２３が設けられている。
【００４９】
ベルト部材４０を、（眼幅調整時の）揺動中心で保持するため、左右の後鏡筒３１，３２には、第１支持ローラ対３１４，３２４が夫々設けられている。この第１支持ローラ対３１４，３２４は、夫々のローラ対の中間３１４ａ，３２４ａが上記の揺動中心（図５における揺動軸３２１，３２２）に相当するように配置されている。
【００５０】
また、第１支持ローラ対３１４，３２４の夫々に隣接して、第２支持ローラ対３１５，３２５が設けられている。第１支持ローラ対３１４，３２４、及び第２支持ローラ対３１５，３２５のローラ間のクリアランスは、カム環６１，６２の巻付部６１９，６２９と後鏡筒３１，３２の内面のクリアランスＣ（図３）、及び巻付部６１９，６２９と押えローラ群３１３，３２３の間のクリアランスよりも僅かに大きく設定されている。
【００５１】
このように構成されているため、ベルト部材４０が後述の操作部材によって観察者から見て例えば左方向（図１１では右方向）に駆動されると、ベルト部材４０は左側のカム環６１を押して図中時計回りに回動させると共に、右側のカム環６２を引いて図中時計回りに回動させる。このようにして、ベルト部材４０のにより左右のカム環６１，６２が連動して回動する。
【００５２】
そして、後鏡筒３１，３２が、図１１及び図１２に示すよう揺動すると、ベルト部材４０は後鏡筒３１，３２の揺動軸に相当する箇所３１４ａ，３２４ａを中心として緩やかに曲げられる。この時、後鏡筒３１，３２の揺動が、ベルト部材４０がカム環６１，６２を回動させることは無い。
【００５３】
なお、ベルト部材４０の係止端４１の折り曲げた角の外側の部分に相当する摺接部４４は所定の曲率を有しているため、ベルト部材４０が移動した際に摺接部４４が後鏡筒３１，３２の内面に引っかかること無く、後鏡筒３１，３２の内面に沿ってスムースに摺接移動する。
【００５４】
ここで、ベルト部材４０の、係止端４１と係止爪４２の間隔は、スリット６１５とスリット６１６の間隔、スリット６２５とスリット６２６の間隔よりも所定量短く設定されている。また、ベルト部材４０をカム環６１，６２に巻き付けると、図１０（ｂ）に示すように、係止端４１と係止爪４２の先端が狭まった状態になる。
【００５５】
従って、ベルト部材４０の一方の係止端４１と係止爪４２をスリット６１５，６１６に係合させ、他方の係止端４１と係止爪４２をスリット６２５，６２６に係合させると、係止端４１と係止爪４２には、間に挟まっているものをクランプする。そのため、係止端４１，４１がスリット６１５，６２５の溝から外れることなく確実にカム環６１，６２に係止される。
【００５６】
なお、カム環６１のスリット６１５，６１６は、夫々係止端４１ａと係止爪４２ａを挿入するために、図６に示すようにショルダー面６１７ａに向けて開口している。また当該開口には、係止端４１ａと係止爪４２ａを挿入しやすいように、曲率を持たせてある。そのため、ベルト部材４０をカム環６１に取り付けるときには、略光軸方向に係止端４１ａと係止爪４２ａを夫々スリット６１５，６１６に挿入しながら連動部材を取り付けることができる。
【００５７】
ここで。後鏡筒３１、３２には、ベルト部材４０を光軸方向に係止するために、図１１中一点鎖線で示す押え板３３，３４が設けられている。図１１において、押え板３３，３４は、ベルト部材４０及びカム環６１，６２の端面６１８，６２８の正面（前方）に位置しており、後鏡筒３１，３２に設けられた支柱３１７，３２７により固定されている。押え板３３，３４は、ベルト部材４０を後鏡筒３１，３２に対し、光軸方向に係止するものである。
【００５８】
また、カム環６１，６２は、端面６１８，６２８が押え板３３，３４に当接した状態で取り付けられて、光軸方向に移動しないよう位置を規制されている。このように、ベルト部材４０とカム環６１，６２は、押え板３３，３４により、後鏡筒３１，３２に対して光軸方向に位置規制される。
【００５９】
なお、図６に示すように、カム環６１，６２の巻付部６１９，６２９の光軸方向の長さＴは、端面６１８，６２８からベルト部材４０の幅よりも所定の余裕分だけ長く設定されている。即ち、ベルト部材４０は巻付部６１９，６２９に光軸方向に所定の余裕を持って巻き付けられている。
【００６０】
ここで、上述の通り、左右の前鏡筒１４，１５の光軸方向の位置にずれがある場合には、左右の後鏡筒３１，３２の光軸方向の位置は夫々左右の前鏡筒１４，１５にならう。この時、ベルト部材４０が、カム環６１，６２に対して斜行して巻き付けられると、ベルト部材４０は周辺の壁に当たってスムーズに移動できなくなる可能性がある。しかし、ベルト部材４０が、光軸方向に所定の余裕を持って巻き付けられているため、仮に双眼鏡組付時に斜行していたとしても、ベルト部材４０を数回駆動することにより、斜行を解消することができる。
【００６１】
次に、変倍操作つまみ５０によるベルト部材４０の駆動操作について説明する。図９に示すように、変倍操作つまみ５０には、後フレーム２５の摺動面５５を摺動するスライド部材５３が連動している。さらに、スライド部材５３には、ベルト部材４０の固定部位４３が固定されている。
【００６２】
図１３は、変倍操作つまみ５０を含む操作部を示す分解斜視図である。変倍操作つまみ５０は、後フレーム２５に設けられた円筒部５０ａにより回転可能に保持されている。また、変倍操作つまみ５０には、下端に突起５２を持つアーム５１が突出形成され、当該突起５２は、スライド部材５３に形成された鉛直方向に延びる溝５４に摺動可能に係合している。
【００６３】
また、スライド部材５５の摺動を案内するため、スライド部材５３の移動経路の前方にはガイドプレート５６が設けられている。従って、変倍操作つまみ５０を回転操作すると、スライド部材５３が案内面５５上を摺動する。そして、スライド部材５３の移動により、図９（Ａ）（Ｂ）に示すようにベルト部材４０が移動し、カム環６１，６２が回転する。
【００６４】
このように、ベルト部材４０は、柔軟性を持つと共に、引っ張りと押しの両方向において加えられた力を伝達することのできる素材で形成されているため、簡単な構成でカム環６１，６２を同期駆動することができる。さらに、ベルト部材４０自体が光軸方向に短いため、双眼鏡１０をそれだけコンパクトにすることができる。
【００６５】
次に、焦点調節機構、及び視度調整機構について説明する。
図１４は、双眼鏡１０を一部を切り欠いて示す平面図である。図１４に示すように、双眼鏡１０の上部には、変倍操作つまみ５０と、焦点調整つまみ１８３、視度差調整つまみ１８４が、同一軸線上に配置されている。本実施形態の双眼鏡は、対物光学系の最前のレンズである第１レンズ１３２，１４２（図３）を移動して焦点調整及び視度差調整を行うよう構成されている。
【００６６】
図１５は、第１レンズ１３２，１４２（図３）を保持する第１レンズ枠１３１，１４１を移動するための機構を示す分解斜視図である。
焦点調整つまみ１８３の回転を、第１レンズ枠１３１，１４１の軸方向移動に変換するため、第１駆動部１８１が設けられている。また、視度差調整つまみ１８４（図１４）の回転を、右側の第１レンズ枠１３１の軸方向移動に変換するために第２駆動部１８２が設けられている。
【００６７】
第１駆動部１８１は、焦点調整つまみ１８３の内側に形成された雌ねじ１８３ａに係合する中空のねじ部１８１ａと、ヘッド部１８１ｂとにより構成されている。また、ヘッド部１８１ｂには、下方に向けて延び、第１レンズ枠１３１に係合する左アーム１８５と、軸方向に延びる案内条１９１が形成されている。また、左アーム１８５には、当該アーム１８５を軸方向に案内するスライド部１９７が形成されている。
【００６８】
第２駆動部１８２は、第１駆動部１８１の内部を貫通するロッド１８２ａと、ヘッド部１８２ｃとにより構成されている。ロッド１８２ａの回転をヘッド部１８２ｃが軸方向移動に変換するため、ヘッド部１８２ｃには雌ねじ１８２ｄが形成され、当該雌ねじ１８２ｄにロッド１８２ａの先端に形成されたねじ１８２ｂが係合する。ヘッド部１８２ｃには、下方に向けて延び、第１レンズ枠１４１に係合する右アーム１８６が形成されている。また、右アーム１８６には、当該アーム１８６を軸方向に案内するスライド部１９８が形成されている。
【００６９】
また、視度差調整つまみ１８４（図１４）の回転を第２駆動部に伝達するため、第２駆動部の後方には駆動軸１８７が設けられている。駆動軸１８７は、スプライン軸１８７ａと軸部１８７ｂよりなっている、スプライン軸１８７ａがロッド１８２ａにの内部に形成されたスプライン溝１８２ｅに係合している。
【００７０】
第２駆動部１８２のスプライン溝１８２ｅと、駆動軸１８７のスプライン軸１８７ａとの係合のため、第１駆動部１８１の光軸方向の移動に伴って第２駆動部１８２が光軸方向に移動しても、駆動軸１８７と第２駆動部１８２とは回転方向に連動している。なお、視度差調整つまみ１８４（図１４）と駆動軸１８７との係合関係については後述する。
【００７１】
図１６は、図１４における双眼鏡１０のXVI−XVI断面図である。調節機構１８０と第１レンズ鏡筒１３２、１４２を示す双眼鏡１０の断面図である。前フレーム２０には、第１駆動部の案内条１９１を軸方向に案内するためのレール１９２、及び左右のアーム１８５，１８６のスライド部１９７，１９８を軸方向に案内するためのレール１９５，１９６が形成されている。
【００７２】
左右のアーム１８５，１８６は、上部カバー１８０に設けられた位置規制部材１９３，１９４によって、鉛直方向に位置規制されている。また、左右のアーム１８５，１８６と第１レンズ枠１３１，１４１との間には、コイルバネ１９０が設けられ、このコイルバネ１９０により第１レンズ枠１３１，１４１が下方に付勢され、前鏡筒１３，１４内で鉛直方向に位置規制されている。
【００７３】
このように構成されているため、図１５に示す焦点調整つまみ１８３を回転操作すると、第１駆動部１８１が光軸方向に移動し、左アーム１８５と右アーム１８６が軸方向に移動する。そして、両アーム１８５，１８６の移動によって、左右の第１レンズ枠１３１，１４１が光軸方向に移動し、焦点調整が行われる。
【００７４】
また、視度調整つまみ１８４（図１４）を回転操作すると、駆動軸１８７を介して第２駆動部１８２のねじ部１８２ｂが回動し、ヘッド部１８２ｃが光軸方向に移動するため、右アーム１８６だけが光軸方向に移動する。即ち、右の第１レンズ枠１４１が光軸方向に移動し、左右の視度差調整が行われる。
【００７５】
なお、図１３に示すように、視度調整つまみ１８４により駆動される駆動軸１８７は、変倍操作つまみ５０を保持する円柱部５０ａの内部を貫通して前方の第２駆動部１８２（図１５）に係合するため、変倍操作つまみ５０と視度差調整つまみ１８４の動作が干渉することはない。
【００７６】
ここで、視度調整つまみ１８４（図１４）は、未使用時には、誤操作を防ぐため変倍操作つまみ５０の中に押し込むことができ、使用時には後方（観察者側）に突出し得るよう構成されている。視度差調整つまみ１８４をリトラクトさせるための構成について説明する。
【００７７】
図１３に示すように、視度差調整つまみ１８４は、駆動軸１８７に対して回転方向には係合し軸方向に移動可能に設けられたキャップ部１８４ｂに固定されている。駆動軸１８７の軸部１８７ａには平坦面が形成されており、当該平坦面にはカム溝１８８が設けられている。キャップ部１８４ｂには、一端をカム溝に係合させた係止ばね１８９が設けられている。
【００７８】
カム溝１８８の形状及び深さは、夫々図１７（Ａ）及び（Ｂ）に示すように設定されている。視度調整つまみ１８４（図１４）を一度押し込むと、係止ばね１８９の先端はカム溝１８８に沿って１８８ａ，１８８ｂ，１８８ｃ，１８８ｄの順に移動し、係止ばね１８９の先端がカム溝１８８の前端部１８８ｄに至った後、押圧を解除すると、リターンばね１９１（図１４）の作用で視度調整つまみ１８４は後方側に戻り、係止ばね１８９の先端が１８８ｅに達したところで係止される。
【００７９】
視度調整つまみ１８４（図１４）を再度押し込むと、係止ばね１８９の先端は係合溝１８８の１８８ｅから１８８ｆに移動し、その後押圧を解除すると、リターンばね１９１（図１４）の作用で１８８ｇ，１８８ｈの順に移動し、１８８ａに達する。即ち、視度調整つまみ１８４は、押し込む毎に、押し込み位置と突出位置（操作可能位置）との間で交互に係止される。
視度調整つまみ１８４（図１４）は、押し込まれている状態では、変倍操作つまみ５０（図１４）の内部に位置するため、未使用時に誤って操作されることを防ぐことができる。
【００８０】
次に、変倍のためのレンズの移動基準位置を微調整する機構について説明する。
図１８及び図１９は、右側の後鏡筒３１の後方側（観察者側）を示す斜視図及び側断面図である。図１８（Ｂ）に示すように、後鏡筒３１の内面には所定の幅を持つ一対の凹部３１４が形成されている。
【００８１】
図１９に示すようにカム環６１とガイド環７１を後鏡筒３１に組み付けると、図１８（Ａ）に示すように、ガイド環７１のセクタフランジ部７１５が後鏡筒３１に形成された凹部３１４に係合する。これにより、ガイド環７１と後鏡筒３１に対する周方向の大まかな位置決めが成される。
【００８２】
凹部３１４の周方向の幅Ｈは、セクタフランジ７１５の幅よりも所定マージンＭ（調整しろ）だけ広く形成されている。そして、後鏡筒３１の、セクタギア７１６に対応する箇所には、開口３１５が設けられている。
【００８３】
セクタギア７１６を、開口３１５からウォームギア等を使用した専用の治具で操作することによって、後鏡筒３１内でガイド環７１を周方向に（上記所定マージンＭ内で）回動させることができる。即ち、カム６１に対するガイド環７１の周方向の相対位置が微調整できる。これにより、カム環６１の回動角度に対する第２，第３レンズ枠８１，９２（図８）の移動基準位置を調整することができる。
【００８４】
同様に、右側のガイド環７２の周方向の位置が微調整することにより、右側のカム環６２の回動角度に対する第２，第３レンズ枠８２，９２（図８）の移動基準位置を調整することができる。即ち、本実施形態の双眼鏡１０によれば、第２，第３レンズの移動基準位置を左右独立に調整することができる。
【００８５】
なお、後鏡筒３１の外周には、目当て環３７が光軸方向に移動可能に設けられている。この目当て環３７には、点線で示す目当てラバー３９が取り付けられている。また、目当て環３７には、後鏡筒３１の開口３１５に対応する位置に開口３７８が形成され、この開口３７８は目当てラバー３９によって覆い隠されている。かくして、セクタギア７１６が誤って操作されることが防止される。
【００８６】
図１９に示すように、カム環６１とガイド環７１は、第４レンズ１１４を保持するための第４レンズ枠３５を後鏡筒３１に取り付けることによって、光軸方向に固定される。即ち、ガイド環７１を挿入されたカム環６１を後鏡筒３１に嵌入した後、後鏡筒３１の内面に形成されたねじ部３１６に第４レンズ枠３５のねじ部３５１を係合させることにより、ガイド環７１とカム環６１は光軸方向に固定される。即ち、第４レンズ枠３５は、第２，第３レンズ１１２，１１３の位置を規制する機能を有する。
【００８７】
次に、目当て環の係止構造について説明する。図２０は、目当て環３７及び後鏡筒３１を示す斜視図である。図２０に示すように、後鏡筒３１の外周に目当て環３７を嵌挿させ、後鏡筒３１の後端部に形成されたねじ部３１６に接眼レンズ枠３５のねじ部３５１を係合させることによって、目当て環３７と接眼レンズ枠３５は後鏡筒３１に固定される。なお、接眼レンズ枠３５は、後鏡筒３１よりも大径のフランジ部３５３を有しており、目当て環３７が後鏡筒３１から外れないためのストッパーとなる。
【００８８】
図２１は、目当て環３７の後鏡筒３１に対する係止構造を示す側断面図である。目当て環３７を後鏡筒３１に対してスライド可能に係止するために、目当て環３７には凸部３７１、３７２が並設けられ、後鏡筒３１には３つの凹部３２１、３２３、３２５が並設されている。また、図２０に示すように、凹部３２１、３２３、３２５のそれぞれの間には、後鏡筒３１の外周面に対しては凹部となり、且つ凹部３２１、３２３、３２５に対しては凸部となる第二凹部３２２、３２４が形成されている。
【００８９】
図２２は、目当て環３７の凸部３７１、３７２と、後鏡筒３１の凹部３２１〜３２５とを示す平面図である。なお、目当て環３７は後鏡筒３１から外した状態で示す。凹部３２１、３２３、３２５および第二凹部３２２、３２４は、鏡筒の周方向における長さがほぼ等しい四角形状に形成されている。また、目当て環３７の寸法は、図２１（Ａ）に示すように、凸部３７１、３７２と凹部３２３、３２５が夫々係合し得るよう設定されている。
【００９０】
図２１（Ａ）に示す状態から目当て環３７を後方に引くと、目当て環３７の弾性変形により、凸部３７１、３７２が第２凹部３２２、３２４を乗り越えてスライドする。そして、図２１（Ｂ）に示すように、凸部３７１、３７２と凹部３２１、３２３が夫々係合した状態で、目当て環３７が後鏡筒３１に係止される。そして、この状態で、凸部３７１の一端が接眼レンズ枠３５のフランジ部３５３に当接する。前述のように、フランジ部３５３の外径は、凸部３７１が弾性変形により乗り越えることはできない程度に設定されている。即ち、このフランジ部３５３が、目当て環３７が外れないためのストッパーとなる。
【００９１】
なお、第２凹部３２２、３２４とその周方向に隣接する後鏡筒３１の表面との間の段差は、凸部３３１、３３２が乗り越えられない程度に設定されているため、凹部３２１、３２３、３２５と第二凹部３２２、３２４とは、凸部３７１、３７２を光軸方向にガイドするガイド溝３２０として機能する。
【００９２】
なお、眼鏡を掛けた観察者の場合には、図２１（Ａ）のように、目当て環３７を押し込んだ状態で使用し、眼鏡を掛けていない観察者の場合には、図２１（Ｂ）のように、目当て環３７を引っぱり出した状態で使用する。眼鏡を掛けた観察者が双眼鏡を覗くと、眼鏡レンズの中央部は接眼レンズ枠３５に向けて突出した状態となる。そして、前述のとおり、接眼レンズ枠３５の、観察者に対向する端面３５２は、観察者が眼鏡を掛けたまま覗いても、眼鏡が当たらないような曲率半径Ｒ２を持つ凹面として形成されている。本実施形態では、接眼面３５２の曲率半径Ｒ１は１００ｍｍに設定されている。
【００９３】
図２３は、図２１に点線で示す左側の目当てラバー３９を示す断面図である。図２３に示すように、目当てラバー３９の後方側（図中右側）の端面３９２は、第４レンズ１１４（図示せず）の光軸０から所定の距離Ｔだけ離れた中心Ｘからの所定の曲率Ｒ３で形成されている。また、右側の目当てラバーはこれと対称に形成される。このように、曲率の中心を光軸からずらすことによって、目当てラバーは観察者の両眼を充分に覆うことができ、目の外側からの外光の侵入を防ぐことができる。
【００９４】
図２４は、目当て環の係止構造の他の例を示す側断面図である。図２４（Ａ）に示すように、後鏡筒３１の外周には凸部４１，４２が形成され、目当て環３７には開口３６１，３６２，３６３が形成されている。
【００９５】
図２５は、目当て環３７の開口３６１，３６２，３６３と、後鏡筒３１の外周の凸部３４１，３４２とを示す平面図である。なお、目当て環３７は後鏡筒３１から外した状態で示す。開口３６１，３６２，３６３と凸部３４１，３４２の夫々の幅と長さは、開口３６１，３６２，３６３のうちの二つと凸部３４１，３４２が係合し得るよう設定される。
【００９６】
開口３６１，３６２，３６３は、軸方向に延びる溝３６０内に形成されている。また、目当て環３７の内周には軸方向の段差３６７が形成されている。
従って、図２４（Ａ）に示すように、凸部３４１，３４２と開口３６１，３６２が夫々係合した状態で、目当て環３７が後鏡筒３１に係止される。そして、この状態から目当て環３７を後方に引くと、目当て環３７の弾性変形により、開口３６１，３６２が凸部３４１，３４２を乗り越えてスライドする。そして、図２２（ｂ）に示すように、凸部３４１、３４２と開口３６２，３６３が夫々係合した状態で、目当て環３７が後鏡筒３１に係止される。
【００９７】
この時、目当て環３７の段差部３６７が接眼レンズ枠３５のフランジ部３５３に当接するため、目当て環３７はこれ以上図中右側に向かってスライドすることはできない。これにより、段差部３６７は、目当て環３７が外れないためのストッパーとなる。また、凸部３４１、３４２は周方向に溝３６０に係合しており、溝３６０が凸部３４１、３４２を光軸方向に案内するガイド溝となっている。
【００９８】
最後に、この発明の特徴部分と実施形態との対応関係について説明する。
図８に示すように、本実施形態の双眼鏡１０によれば、カムフォロア８１３，９１３（８２３，９２３）がカム溝６１３，６１４（６２３，６２４）と接し、スライダ８１２，９１２（８２２，９２２）がガイド溝７１７，７１８（７２７，７２８）と接する。また、スライダ８１２，９１２（８２２，９２２）によって、レンズ枠８１，９２（８２，９２）が補強される。従って、レンズ枠８１，９２（８２，９２）に駆動力が集中し、破損することが避けられる。
【００９９】
【発明の効果】
以上説明したように、本発明の変倍式双眼鏡の変倍機構によれば、カムフォロアがカム溝と接し、ガイド条がガイド溝と接する上、ガイド条によって、レンズ枠自体が補強される。そのため、レンズ枠に駆動力が集中し破損することが避けられる。
【図面の簡単な説明】
【図１】実施形態の変倍式双眼鏡を示す斜視図である。
【図２】図１の双眼鏡の分解斜視図である。
【図３】図１の双眼鏡の内部構成を示す平面図である。
【図４】図１の双眼鏡の側断面図である。
【図５】後ユニットの分解斜視図である。
【図６】カム環の斜視図である。
【図７】ガイド環の側面図及び斜視図である。
【図８】カム環、ガイド環及び第２、第３レンズ枠を示す斜視図である。
【図９】後ユニットを示す斜視図である。
【図１０】ベルト部材の正面図及び斜視図である。
【図１１】後鏡筒にベルト部材を取り付けた状態を示す正面図である。
【図１２】後鏡筒にベルト部材を取り付けた状態を示す正面図である。
【図１３】変倍操作つまみの取付構造を示す分解斜視図である。
【図１４】双眼鏡を一部を切り欠いて示す平面図である。
【図１５】焦点及び視度差調節機構を示す斜視図である。
【図１６】図１４の線分ＸＶＩ−ＸＶＩについての双眼鏡の断面図である。
【図１７】カム溝の形状を示す平面図及び深さを示す概略図である。
【図１８】後鏡筒の後方側を示す斜視図である。
【図１９】後鏡筒の後方側を示す側断面図である。
【図２０】目当て機構を示す斜視図である。
【図２１】目当て機構を示す側断面図である。
【図２２】目当て機構を示す平面図である。
【図２３】目当てゴムの断面図である。
【図２４】目当て機構の他の例を示す側断面図である。
【図２５】目当て機構を示す平面図である。
【符号の説明】
１０              双眼鏡
１３，１４        前鏡筒
１５，１６        中間鏡筒
２０              対物側フレーム
２５              後フレーム
３１，３２        後鏡筒
３５，３６        第４レンズ枠
３７              目当て環
４０              ベルト部材
４１              係止端
４２              係止爪
５０              変倍操作つまみ
５３              スライド部材
６１，６２        カム環
７１，７２        ガイド環
８１，８２        第２レンズ枠
９１，９２        第３レンズ枠
１００            後ユニット
１１２，１２２    第２レンズ
１１３，１２３    第３レンズ
１３２，１４２    第１レンズ
１１４，１２４    第４レンズ
１３１，１４１    第１レンズ枠
１８１            第１駆動部
１８２            第２駆動部
１８３            焦点調整つまみ
１８４            視度差調整つまみ
２００            前ユニット
３２０            溝
３２１，３２３，３２５  凹部
３７１，３７２    凸部
【図１】
0003646949.tif 000002
【図２】
0003646949.tif 000003
【図３】
0003646949.tif 000004
【図４】
0003646949.tif 000005
【図５】
0003646949.tif 000006
【図６】
0003646949.tif 000007
【図７】
0003646949.tif 000008
【図８】
0003646949.tif 000009
【図９】
0003646949.tif 000010
【図１０】
0003646949.tif 000011
【図１１】
0003646949.tif 000012
【図１２】
0003646949.tif 000013
【図１３】
0003646949.tif 000014
【図１４】
0003646949.tif 000015
【図１５】
0003646949.tif 000016
【図１６】
0003646949.tif 000017
【図１７】
0003646949.tif 000018
【図１８】
0003646949.tif 000019
【図１９】
0003646949.tif 000020
【図２０】
0003646949.tif 000021
【図２１】
0003646949.tif 000022
【図２２】
0003646949.tif 000023
【図２３】
0003646949.tif 000024
【図２４】
0003646949.tif 000025
【図２５】
0003646949.tif 000026